【手続補正書】
【提出日】平成22年8月16日(2010.8.16)
【手続補正１】
【補正対象書類名】特許請求の範囲
【補正対象項目名】全文
【補正方法】変更
【補正の内容】
【特許請求の範囲】
【請求項１】
幅方向中央に沿って下腹部から股間部を通り臀部までを覆うように延在する部分であって、且つ身体側表面を形成する透液性トップシートと、外面側に位置する液不透過性シートとの間に吸収体が介在する部分である吸収性本体部と、
背側及び腹側のいずれか一方において前記吸収性本体部の左側及び右側にそれぞれ延出するとともに、先端部の内面に係止部を有する、一対の係止サイドフラップ部と、
前記吸収性本体部の前側及び後側にそれぞれ延出する、腹側エンドフラップ部及び背側エンドフラップ部と、を有し、
各係止サイドフラップ部をそれぞれ腹側外面に回すとともに、その先端部の係止部を腹側外面に係止することにより装着するように構成された、止着式使い捨ておむつにおいて、
各係止サイドフラップ部の延出長さが、背側及び腹側のうち前記係止サイドフラップ部を備えない側に位置する吸収体の前後方向端部の幅の１〜１．５倍であり、
各係止サイドフラップ部に、上下方向中間に沿って先端から前記係止部を横断して基端側に延在するミシン目が形成されているとともに、
背側及び腹側のうち前記係止サイドフラップ部を備えない側におけるエンドフラップ部に、幅方向中央に沿って又は幅方向中央部の両側に沿って上端から下側に延在するミシン目が形成されている、
ことを特徴とする、止着式使い捨ておむつ。
【請求項２】
幅方向中央に沿って下腹部から股間部を通り臀部までを覆うように延在する部分であって、且つ身体側表面を形成する透液性トップシートと、外面側に位置する液不透過性シートとの間に吸収体が介在する部分である吸収性本体部と、
背側及び腹側のいずれか一方において前記吸収性本体部の左側及び右側にそれぞれ延出するとともに、先端部の内面に係止部を有する、一対の係止サイドフラップ部と、
前記吸収性本体部の前側及び後側にそれぞれ延出する、腹側エンドフラップ部及び背側エンドフラップ部と、を有し、
各係止サイドフラップ部をそれぞれ腹側外面に回すとともに、その先端部の係止部を腹側外面に係止することにより装着するように構成された、止着式使い捨ておむつにおいて、
各係止サイドフラップ部の延出長さが、背側及び腹側のうち前記係止サイドフラップ部を備えない側に位置する吸収体の前後方向端部の幅の１〜１．５倍であり、
各係止サイドフラップ部に、上下方向中間に沿って先端から前記係止部を横断して基端側に延在するミシン目が形成されているとともに、
背側及び腹側のうち前記係止サイドフラップ部を備えない側におけるエンドフラップ部に、幅方向中央部を含む上端側部分を取り囲むようにミシン目が形成されている、
ことを特徴とする、止着式使い捨ておむつ。
【請求項３】
前記係止部は、各係止サイドフラップ部の先端部及び延出方向中間部の内面にそれぞれ設けられている、
請求項１又は２記載の止着式使い捨ておむつ。
【請求項４】
前記係止部はフックテープにより形成されており、各係止サイドフラップ部は、先端部のフックテープと延出方向中間部のフックテープとが接合されるように折り畳まれている、請求項３記載の止着式使い捨ておむつ。
【請求項５】
前記吸収体の、前記係止サイドフラップ部を備えない側の上端部に、切欠部が形成されるとともに、この切欠部内まで前記ミシン目が延在している、請求項１〜４のいずれか１項に記載の止着式使い捨ておむつ。
【請求項６】
前記係止サイドフラップ部の先端側の上縁が幅方向に対して股間側に傾斜している、請求項１〜５のいずれか１項に記載の止着式使い捨ておむつ。
【手続補正２】
【補正対象書類名】明細書
【補正対象項目名】全文
【補正方法】変更
【補正の内容】
【発明の詳細な説明】
【発明の名称】止着式使い捨ておむつ
【技術分野】
【０００１】
本発明は、特に未熟児や超未熟児に適した止着式使い捨ておむつに関するものである。
【背景技術】
【０００２】
止着式使い捨ておむつは、特に乳児や介護用として汎用されている。止着式使い捨ておむつは、幅方向中央に沿って下腹部から股間部を通り臀部までを覆うように延在する部分であって、且つ身体側表面を形成する透液性トップシートと、外面側に位置する液不透過性シートとの間に吸収体が介在する部分である吸収性本体部と、背側における吸収性本体部の左側及び右側にそれぞれ延出する部分であって、且つ吸収体を有しない部分である、左側及び右側サイドフラップ部と、左側及び右側サイドフラップ部の各先端部にそれぞれ設けられた係止部とを有しており、左右両サイドフラップ部をそれぞれ腹側外面に回すとともに、その先端部の係止部を腹側外面に係止することにより装着するものである（例えば特許文献１〜４参照）。
このような止着式使い捨ておむつは、両サイドフラップ部の係止部位を調整することで、身体に対するフィット性を調整できるものであり、従来、未熟児や超未熟児に対しても用いられている。
【特許文献１】特開２００１‐２４５９２２号公報
【特許文献２】特開平９‐２１５７０９号公報
【特許文献３】特許３６０２１３４号公報
【特許文献４】特許３６０５４２６号公報
【発明の開示】
【発明が解決しようとする課題】
【０００３】
未熟児や超未熟児、或いは病人等の一定の用途においては、おむつを装着する部分に点滴や排泄用のチューブ、あるいは臍等を覆うガーゼ等が存在する等、多種多様な表面凹凸に対するフィット性が要求される。
しかし、従来の止着式使い捨ておむつは、このような用途における寸法・形状の調整を想定していないため、一定の用途においては、フィットし難いという問題点があった。
そこで、本発明の主たる課題は、寸法・形状の調整範囲が広く、より多種多様な表面凹凸に対してフィットさせることができる、止着式使い捨ておむつを提供することにある。
【課題を解決するための手段】
【０００４】
上記課題を解決した本発明は次記のとおりである。
＜請求項１記載の発明＞
幅方向中央に沿って下腹部から股間部を通り臀部までを覆うように延在する部分であって、且つ身体側表面を形成する透液性トップシートと、外面側に位置する液不透過性シートとの間に吸収体が介在する部分である吸収性本体部と、
背側及び腹側のいずれか一方において前記吸収性本体部の左側及び右側にそれぞれ延出するとともに、先端部の内面に係止部を有する、一対の係止サイドフラップ部と、
前記吸収性本体部の前側及び後側にそれぞれ延出する、腹側エンドフラップ部及び背側エンドフラップ部と、を有し、
各係止サイドフラップ部をそれぞれ腹側外面に回すとともに、その先端部の係止部を腹側外面に係止することにより装着するように構成された、止着式使い捨ておむつにおいて、
各係止サイドフラップ部の延出長さが、背側及び腹側のうち前記係止サイドフラップ部を備えない側に位置する吸収体の前後方向端部の幅の１〜１．５倍であり、
各係止サイドフラップ部に、上下方向中間に沿って先端から前記係止部を横断して基端側に延在するミシン目が形成されているとともに、
背側及び腹側のうち前記係止サイドフラップ部を備えない側におけるエンドフラップ部に、幅方向中央に沿って又は幅方向中央部の両側に沿って上端から下側に延在するミシン目が形成されている、
ことを特徴とする、止着式使い捨ておむつ。
（作用効果）
本発明の使い捨ておむつでは、係止サイドフラップ部が従来よりも長く延出するため、係止サイドフラップ部の係止部を腹側外面の様々な部位に係止することができる。さらに、係止サイドフラップ部を係止部を含めて上下二段に分割できるミシン目が設けられている。よって、寸法・形状の調整範囲が顕著に拡大し、おむつを装着する部分に点滴や排泄用のチューブ、あるいは臍等を覆うガーゼ等が存在する場合であっても、より適切にフィットさせることができる。なお、上下方向とは、股間を下とする装着状態における方向を意味する。
また、このようなミシン目が形成されていると、必要に応じてミシン目を切り離すことにより、エンドフラップ部を開いて、点滴や排泄用のチューブ、臍等を覆うガーゼ等を肌側に押し付けないようにしたり、開いた部分を外側又は内側に折り返して、点滴や排泄用のチューブ、臍等を覆うガーゼ、あるいは肌の一部（超未熟児における光線治療のため等）を露出させたりすることができる。後者の場合、本発明では、係止サイドフラップ部を腹側外面の様々な部位に係止できるため、エンドフラップ部の折り返し部分を係止サイドフラップ部で押さえつけることができる。なお、「上端」及び「下側」とは、股間を下とする装着状態における上下方向の部位を意味する。
【０００５】
＜請求項２記載の発明＞
幅方向中央に沿って下腹部から股間部を通り臀部までを覆うように延在する部分であって、且つ身体側表面を形成する透液性トップシートと、外面側に位置する液不透過性シートとの間に吸収体が介在する部分である吸収性本体部と、
背側及び腹側のいずれか一方において前記吸収性本体部の左側及び右側にそれぞれ延出するとともに、先端部の内面に係止部を有する、一対の係止サイドフラップ部と、
前記吸収性本体部の前側及び後側にそれぞれ延出する、腹側エンドフラップ部及び背側エンドフラップ部と、を有し、
各係止サイドフラップ部をそれぞれ腹側外面に回すとともに、その先端部の係止部を腹側外面に係止することにより装着するように構成された、止着式使い捨ておむつにおいて、
各係止サイドフラップ部の延出長さが、背側及び腹側のうち前記係止サイドフラップ部を備えない側に位置する吸収体の前後方向端部の幅の１〜１．５倍であり、
各係止サイドフラップ部に、上下方向中間に沿って先端から前記係止部を横断して基端側に延在するミシン目が形成されているとともに、
背側及び腹側のうち前記係止サイドフラップ部を備えない側におけるエンドフラップ部に、幅方向中央部を含む上端側部分を取り囲むようにミシン目が形成されている、
ことを特徴とする、止着式使い捨ておむつ。
（作用効果）
本発明の使い捨ておむつでは、係止サイドフラップ部が従来よりも長く延出するため、係止サイドフラップ部の係止部を腹側外面の様々な部位に係止することができる。さらに、係止サイドフラップ部を係止部を含めて上下二段に分割できるミシン目が設けられている。よって、寸法・形状の調整範囲が顕著に拡大し、おむつを装着する部分に点滴や排泄用のチューブ、あるいは臍等を覆うガーゼ等が存在する場合であっても、より適切にフィットさせることができる。なお、上下方向とは、股間を下とする装着状態における方向を意味する。
また、このようなミシン目が形成されていると、必要に応じてミシン目を切り離すことにより、エンドフラップ部の上端側部分を切り取り、点滴や排泄用のチューブ、臍等を覆うガーゼ、あるいは肌（超未熟児における光線治療のため等）を露出させることができる。なお、「上端側部分」とは、股間を下とする装着状態における上下方向の部位を意味する。
【０００６】
＜請求項３記載の発明＞
前記係止部は、各係止サイドフラップ部の先端部及び延出方向中間部の内面にそれぞれ設けられている、
請求項１又は２記載の止着式使い捨ておむつ。
【０００７】
（作用効果）
この使い捨ておむつでは、係止サイドフラップ部の内面に一対の係止部が設けられている。よって、寸法・形状の調整範囲が顕著に拡大し、おむつを装着する部分に点滴や排泄用のチューブ、あるいは臍等を覆うガーゼ等が存在する場合であっても、より適切にフィットさせることができる。
【０００８】
＜請求項４記載の発明＞
前記係止部はフックテープにより形成されており、各係止サイドフラップ部は、先端部のフックテープと延出方向中間部のフックテープとが接合されるように折り畳まれている、請求項３記載の止着式使い捨ておむつ。
【０００９】
（作用効果）
本発明の係止部としてはフックテープが好ましい。この場合、未使用状態において、一般的な止着式使い捨ておむつに倣って、係止サイドフラップ部をその基端で折り返しておむつ内面に仮止めしようとすると、次のような問題がある。すなわち、本発明では係止サイドフラップ部が従来よりも長いため、係止サイドフラップ部をその基端で折り返した場合、先端部のフックテープがトップシートに係止するようになる。しかし、トップシートはフックテープが強固に係止してしまうものであり、剥離が困難となる又は剥離によりトップシートの繊維が毛羽立つおそれがある。トップシートの素材を、フックテープの仮止めに適した素材に変えることも不可能ではないが、トップシート本来の機能を損ねるため好ましくない。
そこで、本項記載の発明では、フックテープ同士の接合力が弱く、剥離が容易な点を利用して、係止サイドフラップ部の各先端部に対し、延出方向に間隔を空けて一対のフックテープを設け、これらフックテープが接合されるように各係止サイドフラップ部を折り畳むこととしたものである。これにより、係止サイドフラップ部が従来より長くても適切に仮止めすることができる。
【００１０】
【００１１】
【００１２】
【００１３】
【００１４】
＜請求項５記載の発明＞
前記吸収体の、前記係止サイドフラップ部を備えない側の上端部に、切欠部が形成されるとともに、この切欠部内まで前記ミシン目が延在している、請求項１〜４のいずれか１項に記載の止着式使い捨ておむつ。
【００１５】
（作用効果）
このような切欠部が形成されていると、係止サイドフラップ部を有さない側のエンドフラップおよび吸収体切欠部を折り曲げてタックを形成し、タックの下端を頂部として外側に膨らむ形状を取ることが容易であり、本発明の寸法・形状範囲が広い係止サイドフラップ部を用いて確実に形状を保持しつつ固定することが可能となる。さらに、上記ミシン目を大きく取ることも可能となる。なお、「上端部」とは、股間を下とする装着状態における上下方向の端部を意味する。
＜請求項６記載の発明＞
前記係止サイドフラップ部の先端側の上縁が幅方向に対して股間側に傾斜している、請求項１〜５のいずれか１項に記載の止着式使い捨ておむつ。
【発明の効果】
【００１６】
以上のとおり、本発明によれば、寸法・形状の調整範囲が広く、より多種多様な表面凹凸に対してフィットさせることができる、等の利点がもたらされる。
【発明を実施するための最良の形態】
【００１７】
以下、本発明の一実施形態について説明する。各図において、「前後方向」とは腹側（前側）と背側（後側）を結ぶ方向を意味し、「幅方向」とは前後方向と直交する方向（左右方向）を意味する。また、以下の説明において、上下の方向に関する用語は、おむつの装着状態における方向、すなわちおむつの前身頃両側部と後身頃両側部を重ね合わせるようにおむつを股間部で２つに折った際に胴回り方向と直交する方向、換言すればウエスト開口部ＷＯ側と股間部側とを結ぶ方向を意味する。
【００１８】
＜止着式使い捨ておむつの基本構造の一例＞
図１〜図５は本発明に係る止着式使い捨ておむつの一例を示している。図２、図３及び図４は、図１における２−２線断面、３−３線断面、及び４−４線断面をそれぞれ示した図である。
この止着式使い捨ておむつは、幅方向中央に沿って下腹部から股間部を通り臀部までを覆うように延在する部分であって、且つ身体側表面を形成する透液性トップシートと、外面側に位置する液不透過性シートとの間に吸収体５６が介在する部分である吸収性本体部１０と、背側Ｂの上縁側部分（後端側部分）において吸収性本体部１０の左側及び右側にそれぞれ延出する一対の背側サイドフラップ部ＢＦ，ＢＦと、腹側Ｆの上縁側部分（前端側部分）において吸収性本体部１０の左側及び右側にそれぞれ延出する一対の腹側サイドフラップ部ＦＦ，ＦＦとを有している。
また、この止着式使い捨ておむつは、吸収性本体部１０の前側及び後側にそれぞれ延出する（つまり、吸収体５６を有しない）腹側エンドフラップ部ＦＥ及び背側エンドフラップ部ＢＥを有するものである。
より詳細には、吸収性本体部１０ならびに背側および腹側の各サイドフラップ部ＢＦ，ＦＦの外面全体が外装シート１２により形成されている。特に、吸収性本体部１０においては、外装シート１２の内面側に液不透過性シート１１がホットメルト接着剤等の接着剤により固定され、さらにこの液不透過性シート１１の内面側に吸収要素５０、中間シート４０、およびトップシート３０がこの順に積層されている。トップシート３０および液不透過性シート１１は図示例では長方形であり、吸収要素５０よりも前後方向および幅方向において若干大きい寸法を有しており、トップシート３０における吸収要素５０の側縁より食み出る周縁部と、液不透過性シート１１における吸収要素５０の側縁より食み出る周縁部とがホットメルト接着剤などにより固着されている。また液不透過性シート１１は透湿性のポリエチレンフィルム等からなり、トップシート３０よりも若干幅広に形成されている。
さらに、この吸収性本体部１０の両側には、装着者の肌側に突出（起立）する側部バリヤーカフス６０，６０が設けられており、この側部バリヤーカフス６０，６０を形成するバリヤーシート６２，６２が、背側および腹側の各サイドフラップ部ＢＦ，ＦＦの内面を含め、吸収性本体部１０の幅方向外側の全体にわたり延在されている。
【００１９】
以下、各部の素材および特徴部分について順に説明する。
（外装シート）
外装シート１２は着用者の身体に対して吸収要素５０を支持する部分である。外装シート１２は、両側部の前後方向中央部が括れた砂時計形状とされており、ここが着用者の脚を入れる部位となる。
外装シート１２としては不織布が好適であるが、これに限定されない。不織布の種類は特に限定されず、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布１２相互をホットメルト接着剤等により接着するのが好ましい。不織布を用いる場合、その繊維目付けは１０〜５０ｇ／ｍ2、特に１５〜３０ｇ／ｍ2のものが望ましい。
【００２０】
（トップシート）
トップシート３０は液透過性を有するものであれば足り、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００２１】
（中間シート）
トップシート３０を透過した排泄物を吸収体へ移動させ、逆戻りを防ぐために、トップシート３０と吸収要素５０との間に中間シート（セカンドシートともいわれる）４０を設けることができる。この中間シート４０は、排泄物を速やかに吸収体へ移行させて吸収体による吸収性能を高めるばかりでなく、吸収した排泄物の吸収体からの逆戻りを防止し、トップシート３０表面を肌触りを良くするものである。中間シート４０は省略することもできる。
中間シート４０としては、トップシート３０と同様の素材を用いることができる。中間シート４０はトップシート３０に接合するのが好ましく、その接合にヒートエンボスや超音波溶着を用いる場合は、中間シート４０の素材はトップシート３０と同程度の融点をもつものが好ましい。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シート４０に用いる繊維の繊度が１．０〜２．０ｄｔｅｘであると、トップシート３０の液残りは発生し難いが、便の固形分が透過し難くなる。よって、中間シート４０に用いる不織布の繊維は繊度が２．０〜５．０ｄｔｅｘ程度とするのが好ましい。
図示の形態の中間シート４０は、吸収要素５０の幅より短く中央に配置されているが、全幅にわたって設けてもよい。中間シート４０の長手方向長さは、おむつの全長と同一でもよいし、吸収要素５０の長さと同一でもよいし、液を受け入れる領域を中心にした短い長さ範囲内であってもよい。
【００２２】
（側部バリヤーカフス）
トップシート３０上を伝わって横方向に移動する尿や軟便を阻止し、横漏れを防止するために、製品の両側に、使用面側に突出（起立）する側部バリヤーカフス６０、６０を設けるのは好ましい。
この側部バリヤーカフス６０は、実質的に幅方向に連続するバリヤーシート６２と、このバリヤーシート６２に前後方向に沿って伸張状態で固定された細長状弾性伸縮部材６３とにより構成されている。このバリヤーシート６２としては撥水性不織布を用いることができ、また弾性伸縮部材６３としては糸ゴム等を用いることができる。弾性伸縮部材は、図１及び図２に示すように各複数本設ける他、各１本設けることができる。
バリヤーシート６２の内面は、トップシート３０の側部上に幅方向の固着始端６５を有し、この固着始端６５から幅方向外側の部分は、液不透過性シート１１の側部およびその幅方向外側に位置する外装シート１２の側部にホットメルト接着剤などにより固着されている。この固着部分のうち固着始端６５近傍の幅方向外側において、バリヤーシート６２と外装シート１２とが対向する部分のシート間に、前後方向に沿って糸ゴム等からなる脚周り弾性伸縮部材６４がそれぞれ設けられている。
脚周りにおいては、側部バリヤーカフス６０の固着始端６５より幅方向内側は、製品前後方向両端部ではトップシート３０上に固定されているものの、その間の部分は非固定の自由部分であり、この自由部分が糸ゴム６３の収縮力により起立するようになる。おむつの、装着時には、おむつが舟形に体に装着されるので、そして糸ゴム６３の収縮力が作用するので、糸ゴム６３の収縮力により側部バリヤーカフス６０が起立して脚周りに密着する。その結果、脚周りからのいわゆる横漏れが防止される。
図示形態と異なり、バリヤーシート６２の幅方向内側の部分における前後方向両端部を、幅方向外側の部分から幅方向内側に延在する基端側部分とこの基端側部分の幅方向中央側の端縁から身体側に折り返され幅方向外側に延在する先端側部分とを有する二つ折り状態で固定し、その間の部分を非固定の自由部分とすることもできる。
【００２３】
（吸収要素）
吸収要素５０は、尿や軟便などの液を吸収保持する部分である。吸収要素５０は、吸収体５６と、この吸収体５６の少なくとも裏面及び側面を包む包被シート５８とを有している。包被シート５８は省略することもできる。吸収要素５０は、その裏面においてホットメルト接着剤等の接着剤を介して液不透過性シート１１の内面に接着することができる。
【００２４】
（吸収体）
吸収体５６は、繊維５２，５２の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６の形状は長方形でもよいが、前後方向中間の両側が括れた砂時計形状がより好ましく、その場合、括れ部分の最小幅（股間部の幅）は吸収体５６の最大幅の７０〜９０％が好ましい。
【００２５】
（高吸収性ポリマー粒子）
吸収体５６は、図２に示すように高吸収性ポリマー粒子５４，５４…を含むのが好ましく、特に、少なくとも液受け入れ領域において、繊維５２，５２…の集合体に対して高吸収性ポリマー粒子（ＳＡＰ粒子）が実質的に厚み方向全体に分散されているものが望ましい。
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維５２，５２…の集合体中に侵入しないでその表面に残存している形態や、一部のＳＡＰ粒子が繊維５２，５２…の集合体を通り抜けて包被シート５８上にある形態も排除されるものではない。
高吸収性ポリマー粒子５４とは、「粒子」以外に「粉体」も含む。高吸収性ポリマー粒子５４の粒径は、この種の吸収性物品に使用されるものをそのまま使用でき、１０００μｍ以下、特に１５０〜４００μｍのものが望ましい。高吸収性ポリマー粒子５４の材料としては、特に限定無く用いることができるが、吸水量が４０ｇ／ｇ以上のものが好適である。高吸収性ポリマー粒子５４としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子５４の形状としては、通常用いられる粉粒体状のものが好適であるが、他の形状のものも用いることができる。
高吸収性ポリマー粒子５４としては、吸水速度が４０秒以下のものが好適に用いられる。吸水速度が４０秒を超えると、吸収体５６内に供給された液が吸収体５６外に戻り出てしまう所謂逆戻りを発生し易くなる。
高吸収性ポリマー粒子５４の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子５４の過剰によりジャリジャリした違和感を与えるようになる。
【００２６】
（包被シート）
包被シート５８を用いる場合、その素材としては、ティッシュペーパー、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
この包被シート５８は、図２のように、連続繊維５２，５２…の集合体及び高吸収性ポリマー粒子５４，５４…の層全体を包む形態のほか、その層の裏面及び側面のみを包被するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包被シートの構成要素となる）。必要ならば、連続繊維５２，５２…の集合体及び高吸収性ポリマー粒子５４，５４…の層を、上下２層のシートで挟む形態や下面のみに配置する形態でもよいが、高吸収性ポリマー粒子の移動を防止でき難いので望ましい形態ではない。
【００２７】
（サイドフラップ部）
一対の腹側サイドフラップ部ＦＦ及び背側サイドフラップ部ＢＦは、腹側Ｆ及び背側Ｂの上端部（前端部及び後端部）において吸収性本体部１０の左側及び右側にそれぞれ延出する部分であり、吸収体５６を有しない部分である。腹側サイドフラップ部ＦＦは従来と同様であるのに対して、背側サイドフラップ部ＢＦは本発明の係止サイドフラップとして構成されている。すなわち、背側サイドフラップＢＦは、先端部の内面に係止部２０を有しており、延出長さ（幅方向長さ）Ｌ１が吸収体５６前端部（腹側端部）の幅の１〜１．５倍（より好ましくは１．１〜１．４倍）とされるとともに、各背側サイドフラップ部ＢＦには、上下方向中間において幅方向に沿って先端から係止部２０を横断して基端側に延在するミシン目２１が形成されているものである。
もちろん、腹側サイドフラップ部ＦＦのみ、あるいは腹側サイドフラップ部ＦＦ及び背側サイドフラップ部ＢＦを本発明の係止サイドフラップとして構成することもできる。
ミシン目２１は、短過ぎると係止位置の調整範囲が狭くなるため、できる限り長い方が好ましく、図示形態のように側部バリヤーカフス６０を有する場合、バリヤーシート６２の固着始端６５近傍まで延在させるのが好ましい。通常の場合、ミシン目２１の長さ（幅方向）は、背側サイドフラップ部ＢＦの延出長さＬ１の５０〜７０％程度とすることができる。
【００２８】
係止部２０としては、メカニカルファスナーのフックテープを貼り付けるのが好ましい。フックテープは、表面に多数の係合突起を有するものであり、係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。フックテープに代えて、又はフックテープとともに粘着材層を設けることもできる。係止部２０の幅方向長さは適宜定めることができるが、通常の場合、背側サイドフラップ部ＢＦの延出長さＬ１の５〜１０％程度とすることができる。
図示形態の背側サイドフラップ部ＢＦは、コスト及び製造容易性の観点から、外装シート１２及びバリヤーシート６２を腹側サイドフラップ部ＦＦと同じ幅方向長さだけ延出させた本体部と、この本体部の先端から突出する先端部２３とにより形成され、先端部２３はシート基材２２の所定部位に係止部２０が接着剤等により接合されてなり、その付根部が本体部のシート１２，６２間に挟持固定されているものである。先端部２３のシート基材２２としては、不織布、プラスチックフィルム、ポリラミ不織布、紙やこれらの複合素材を用いることができる。また、糸状、フィルム状、ネット状、リボン状等の弾性素材を組合せ、伸縮性を付与してもよい。先端部２３の形状は、矩形形状などの左右対称形状でもよいが、図示形態のように、付根に向かうにつれて上下方向幅が狭くなる形状であると、先端側部分の摘み部が摘みやすく、かつ左右の基部間の張力が広範囲に作用するため、好ましい。
これに代えて、図１０に示すように、外装シート１２及びバリヤーシート６２を腹側サイドフラップ部ＦＦよりも長く延出させて、この延出部分のみで背側サイドフラップ部ＢＦの全体を形成し、その内面に係止部２０を設けるのも好ましい形態である。
【００２９】
おむつの装着に際しては、背側サイドフラップ部ＢＦを腹側外面に重ねた状態で、係止部２０が腹側Ｆ外面の適所に係止される。この際、ミシン目２１を切り離すことにより、図５に示すように、背側サイドフラップ部ＢＦを係止部２０を含めて上下二段に分割でき、上側の分割部分ＵＢＦを腹側の上寄りに係止し、下側の分割部分ＬＢＦを下寄りに係止する等、様々な部位に係止することができる。
腹側Ｆにおける係止部位には、一般的な止着式使い捨ておむつに倣って、係止を容易にするためにターゲットテープを設けることもできるが、ターゲットテープは通気性を損ねるため、本発明のように様々な部位に係止する場合には不向きである。よって、本発明では、外装シート１２として不織布を用い、係止部をフック要素１３０Ａとし、フック要素１３０Ａを外装シート１２の不織布に絡ませて係止する形態が望ましい。この場合における不織布としては、繊度１〜２ｄｔｅｘ、坪量１５〜２５ｇ／ｍ2程度のものが好ましく、また、エアスルー不織布やエンボス面積が少ないハードプレスのスパンボンド不織布が好ましい。また、先端部２３のシート基材も、外装シート１２と同様のフック要素１３０Ａが係止可能な不織布であると、一方の背側サイドフラップ部ＢＦを腹側Ｆ外面に重ねて係止部２０にて係止した上から、他方の背側サイドフラップ部ＢＦを重ねて、係止部を一方の背側サイドフラップ部ＢＦの上で係止することが可能になるため、装着の自由度はさらに向上する。
【００３０】
また、係止部２０は、各背側サイドフラップ部ＢＦの先端部及び延出方向中間部の各内面にそれぞれ設けてもよい。これら先端部の係止部と中間部の係止部との幅方向間隔Ｄ１は、通常の場合、背側サイドフラップ部ＢＦの延出長さＬ１の１０〜５０％程度とすることができる。また、各係止部２０の幅方向長さは、通常の場合、それぞれ背側サイドフラップ部ＢＦの延出長さＬ１の５〜１０％程度とすることができる。このように、背側サイドフラップ部ＢＦが先端部及び延出方向中間部の各内面にそれぞれ係止部を有していると、寸法・形状の調整範囲が広くなるため好ましい。さらに、先端部２３が伸縮性を有するようになっていると、より多種多様な表面凹凸に対してフィットさせることができるようになる。
なお、両方の係止部２０にフックテープを用い、背側サイドフラップ部ＢＦを未使用時に仮止めする場合、図示形態のように、先端部のフックテープ２０と中間部のフックテープ２０とを近接して設け、図６に示すように、各背側サイドフラップ部ＢＦを、先端部の一対のフックテープ２０が互いに接合されるように断面Ｚ字状等に折り畳むと好ましい。フックテープ同士の接合力は弱いため、使用時に容易に剥離できる。この場合、先端部のフックテープ２０と中間部のフックテープ２０との幅方向間隔Ｄ１は、背側サイドフラップ部ＢＦの延出長さＬ１の１０〜３５％程度とするのが適当である。また、一対のフックテープ２０のうち、フラップ部の先端側に位置するフックテープ２０の幅方向長さ及びフラップ部の基端側に位置するフックテープ２０の幅方向長さは、背側サイドフラップ部ＢＦの延出長さＬ１の５〜１０％程度とすることができ、前者の長さと後者の長さは同じとすることもできるが、後者の長さがより長い方が好ましい。
【００３１】
（エンドフラップ部）
エンドフラップ部は、吸収性本体部１０の前側及び後側にそれぞれ延出する部分であって、吸収体５６を有しない部分であり、前側の延出部分が腹側エンドフラップ部ＦＥであり、後側の延出部分が背側エンドフラップ部ＢＥである。
背側エンドフラップＢＥの前後方向長さは、背側サイドフラップ部ＢＦの上下方向長さと同じか短い寸法とすることが好ましく、また、おむつ背側端部と吸収体５６とが近接しすぎると、吸収体５６の厚みとコシによりおむつ背側端部と身体表面との間に隙間が生じやすいため、１０ｍｍ以上とすることが好ましい。
腹側エンドフラップ部ＦＥ及び背側エンドフラップ部ＢＥの前後方向長さは、おむつ全体の前後方向長さＬの５〜２０％程度とするのが好ましく、水様便、軟便を頻繁に排泄する新生児〜１２ヶ月程度までの乳幼児用おむつにおいては、１０〜６０ｍｍ、特に２０〜５０ｍｍとするのが適当である。
【００３２】
図１〜図６に示す形態では、腹側エンドフラップ部ＦＥ及び背側エンドフラップ部ＢＥの両方に（いずれか一方であっても良い）、幅方向中央に沿って上端から下側に延在するミシン目２５が形成されている。ミシン目２５の長さは適宜定めることができるが、ミシン目２５の下端は吸収体５６の上端からある程度（例えば５ｍｍ程度）離間しているのが好ましい。必要に応じて、このミシン目２５を切り離すことにより、エンドフラップ部ＦＥ，ＢＥを開いて、点滴や排泄用のチューブ、臍等を覆うガーゼ等を肌側に押し付けないようにしたり、図５に示すように、開いた部分を外側（内側でも良い）に折り返して腹側Ｆの上縁ＵＥをＶ字状にし、点滴や排泄用のチューブ、臍等を覆うガーゼ、あるいは肌の一部を露出させたりすることができる。特に超未熟児の場合はうつ伏せに寝かせて光線治療を行うことが多いため、そのような場合に、腹側Ｆ及び背側Ｂを反対に使用し、ミシン目２５を切り離して背中の露出を多くすることも可能である。後者の場合、図示するように、折り返し部分をその外側から背側サイドフラップ部ＢＦ（図中では上側の分割部分ＵＢＦ）で押さえつけるのが好ましい。また、図１３に示すように、ミシン目２５により切り離した一方側の部分Ｆ１と他方側の部分Ｆ２とを引き寄せ、上側ほど重なり幅が広くなるように一方側の部分Ｆ１を他方側の部分Ｆ２の上に重ね合わせ、一方側部分Ｆ１の外面及びこれよりも他方側のおむつ外面Ｆ３に、他方側に位置するサイドフラップＢＦの先端側のフックテープ２０及び基端側のフックテープ２０をそれぞれ係止させることにより、おむつの形状を、切り離し部分の下端を頂部として外側に膨らむ形状にすることができる。この場合は、先端部のフックテープ２０と中間部のフックテープ２０とは近接しすぎず、ある程度（具体的にはサイドフラップ部ＢＦの延出長さＬ１の２５〜５０％程度）離間していると好ましい。また、ミシン目２１により背側サイドフラップ部ＢＦを上下に分割することにより、上側部分でおむつの形状を外側に膨らむ形状に保持し、下側部分で膨らみの下側を支えるように係止することができる。なお、このような装着方法は、必ずしもミシン目２５が無くても、腹側エンドフラップＦＥを折り曲げてタックを形成し、Ｆ１とＦ２を重ねて、重なり部の下端を頂部として外側に膨らむ図１３と同様の形状にすることは可能であるが、ミシン目２５にて切り離したほうが装着が容易である。
【００３３】
図７に示すように、幅方向中央部の両側に沿って上端から下側に延在する一対のミシン目２６を設けても同様の機能を発揮させることができる。
さらに、図８及び図９に示すように、腹側エンドフラップ部ＦＥ（背側エンドフラップ部ＢＥのみ、又は両方であっても良い）に、幅方向中央部を含む上端側部分を取り囲むようにミシン目２７を形成するのも好ましい形態である。この場合、必要に応じてミシン目２７を切り離すことにより、腹側エンドフラップ部ＦＥの上端側部分２８を切り取り、点滴や排泄用のチューブ、臍等を覆うガーゼ、あるいは肌（超未熟児における光線治療のため等）を露出させることができる。
切り取り部分２８の形状は適宜定めることができ、例えば図８に示すような逆三角形状や、図９に示すように逆かまぼこ状とすることができる。切取り部分の寸法は適宜定めることができるが、切取り部分２８の下端は吸収体５６の上端からある程度（例えば５ｍｍ程度）離間しているのが好ましく、切取り部分２８の幅方向両端は、図示形態のように側部バリヤーカフス６０を有する場合、バリヤーシート６２の固着始端６５までの範囲に位置しているのが好ましい。
【００３４】
図１１及び図１２に示すように、吸収体５６の上端部に切欠部５６ｃ（又は薄肉部でも良い）を形成し、この切欠部５６ｃ内までミシン目２５の端部又はミシン目２７による切り取り部分２８を延在させることもできる。これにより、ミシン目による切り離し部分の長さや、切り取り部分２８の面積を大きくとることができる。また、図１３のような外側に膨らむ形状が形成し易い（大きく形成できる）ため好ましい。さらに、腹側の中央部の吸収体が二枚重ねになるため腹からの尿漏れが効果的に防止できるようにもなる。切欠部５６ｃの幅は吸収体５６の股間部の幅以下であるのが好ましく、ミシン目２５から５ｍｍ以上離間しており、図１１に示すようにミシン目の端部を延在させる場合には１０ｍｍ以上の幅であるのが好ましく、切欠部５６ｃの上下方向長さは、吸収体５６の上端から１０〜３０ｍｍ、又は吸収体５６の前後方向長さの４分の１若しくは５０ｍｍ以下とするのが好ましい。切り取り部分２８の形状は切欠部５６ｃの形状と同じか相似しているのが好ましい。
他方、腹側エンドフラップ部ＦＥにミシン目２５〜２７を設ける場合のように、背側サイドフラップ部ＢＦの係止部位が通常の場合よりも股間側に位置するようになるときには、図１０に示すように、背側サイドフラップ部ＢＦの先端側（特に股間部側縁の前後方向延長線から先端側）の上縁を幅方向に対して股間側に傾斜させると、係止が容易になるため好ましい。この傾斜角度θは適宜定めることができるが、１５〜２５度とするのが好ましい。またこの場合、図示するように、背側サイドフラップ部ＢＦの上縁を股間側に窪むような曲線とし、腹の丸みに沿う形状とするのが好ましい。
【００３５】
（背側伸縮シート）
図示形態では、左側の背側サイドフラップ部ＢＦから右側の背側サイドフラップ部ＢＦまで、幅方向に弾性伸縮する帯状の背側伸縮シート７０が設けられ、おむつ背側部におけるフィット性を向上させている。背側伸縮シート７０の両端部は先端部２３と重なる部位まで延在されているのが好ましいが、幅方向中央側に離間していても良い。背側伸縮シート７０の上下方向長さは、背側サイドフラップ部ＢＦの上下方向長さ未満とするのが好ましく、先端部２３の取り付け部分の上下方向長さと概ね同じにするのが適当であるが、±２０％程度の寸法差はあってもよい。背側伸縮シート７０は、ゴムシート等のシート状弾性部材を用いても良いが、通気性の観点から、図３に示すように、二枚の不織布７１をホットメルト接着剤等の接着剤により張り合わせるとともに、両不織布７１間に有孔のシート状、網状、細長状（糸状又は紐状等）等の弾性伸縮部材７２を幅方向に沿って伸張した状態で固定したものが好適に用いられる。この場合における不織布７１としては、外装シート１２と同様のものを用いることができる。弾性伸縮部材７２の伸張率は１５０〜２５０％程度であるのが好ましい。また、弾性伸縮部材７２として細長状（糸状又は紐状等）のものを用いる場合、太さ４７０〜１２４０ｄｔｅｘのものを３〜１０ｍｍの間隔７２ｄで５〜１５本程度設けるのが好ましい。
また、図示のように弾性伸縮部材７２の一部が吸収体５６を横断するように配置すると、吸収体５６のフィット性が向上するため好ましいが、この場合は、弾性伸縮部材７２が吸収体５６と重なる部分の一部又は全部を、切断等の手段により収縮力が働かないようにすると、吸収体５６の背側端部が幅方向に縮まないため、フィット性がさらに向上する。
なお、弾性伸縮部材７２は、シートの長手方向（おむつの幅方向）に不織布７１の全長にわたって固定されていてもよいが、おむつ本体への取り付け時の縮みやめくれ防止のため、シートの前後方向（おむつの幅方向）端部の５〜２０ｍｍ程度の範囲においては、収縮力が働かないように、または弾性伸縮部材７２が存在しないようにするとよい。
背側伸縮シート７０は、図示形態では、液不透過性シート１１の幅方向両側ではバリヤーシート６２と外装シート１２との間に挟まれ、且つ液不透過性シート１１と重なる部位では、液不透過性シート１１と吸収体５６との間に挟まれるように設けられているが、トップシート３０と吸収体５６との間や液不透過性シート１１と外装シート１２との間に設けても良い。また、外装シート１２を複数枚の不織布を重ねて形成する場合には、背側伸縮シート７０全体を、外装シート１２の不織布間に設けても良い。
【産業上の利用可能性】
【００３６】
本発明は、止着式使い捨ておむつとして利用可能なものである。
【図面の簡単な説明】
【００３７】
【図１】止着式使い捨ておむつの展開状態平面図である。
【図２】図１の２−２線断面図である。
【図３】図１の３−３線断面図である。
【図４】図１の４−４線断面図である。
【図５】装着状態の例を示す正面図である。
【図６】他の止着式使い捨ておむつの展開状態の要部拡大平面図である。
【図７】他の止着式使い捨ておむつの展開状態の要部拡大平面図である。
【図８】他の止着式使い捨ておむつの展開状態の要部拡大平面図である。
【図９】他の止着式使い捨ておむつの展開状態の要部拡大平面図である。
【図１０】他の止着式使い捨ておむつの展開状態の要部拡大平面図である。
【図１１】他の止着式使い捨ておむつの展開状態の要部拡大平面図である。
【図１２】他の止着式使い捨ておむつの展開状態の要部拡大平面図である。
【図１３】装着場他の例を示す要部斜視図である。
【符号の説明】
【００３８】
１０…吸収性本体部、１１…液不透過性シート、１２…外装シート、２０…係止部、２１〜２７…ミシン目、３０…トップシート、４０…中間シート、５０…吸収要素、５２…繊維、５４…高吸収性ポリマー粒子、５６…吸収体、５８…包被シート、６０…側部バリヤーカフス、６２…バリヤーシート、７０…背側伸縮シート。